(57)【要約】【課題】結露水の凍結によるバッフルの動作不良を抑制すること。【解決手段】ダンパ装置１は、バッフル４を回転中心軸線Ｌ回りに回転させて開口部２０を開閉する。開口部２０およびバッフル４は、筒部２１の内側に配置される。バッフル４は、開閉板４１に弾性部材４２を貼り付けた部材である。開閉板４１の回転中心軸線Ｌ側の縁４１１には軸部４５、４６が形成されている。回転中心軸線Ｌ側の縁４１１と交差する側縁４１３、４１４には、ダンパ装置１が設置された状態において鉛直方向の下方側に位置する領域である回転中心軸線Ｌ寄りの領域に切り欠き４９１、４９２が形成されている。切り欠き４９１、４９２が形成された箇所は筒部２１の内面との隙間が大きいため、結露水がバッフル４と筒部２１との間にまたがる状態で凍結しにくい。従って、バッフル４の動作不良を抑制できる。【選択図】図４
2018200131.tif 000002
【特許請求の範囲】
【請求項１】
筒部および前記筒部の内側に形成された開口部を備えるフレームと、
前記筒部の内側に配置され、一方側の縁を中心として回転可能な状態で前記フレームに支持されるバッフルと、
前記バッフルを回転させて、前記開口部を塞ぐ閉位置、および、前記開口部を開放する開位置に移動させるバッフル駆動機構と、を有し、
前記バッフルには、前記一方側の縁を除く他の縁のうちの少なくとも１箇所に切り欠きが形成されていることを特徴とするダンパ装置。
【請求項２】
前記バッフルは、開閉板と、前記開閉板の前記開口部側の面に取り付けられる弾性部材とを備え、
前記開閉板は、前記切り欠きが形成されていない縁を備え、
前記開閉板の前記開口部側の面には、前記切り欠きが形成されていない縁の少なくとも一部に、前記弾性部材を位置決めする位置決め用リブが設けられていることを特徴とする請求項１に記載のダンパ装置。
【請求項３】
前記バッフルは、前記閉位置において、前記一方側の縁が前記一方側とは反対側の縁より鉛直方向の下方に位置することを特徴とする請求項１または２に記載のダンパ装置。
【請求項４】
前記切り欠きは、前記一方側の縁と交差する側縁において、前記一方側の縁寄りの位置に形成されていることを特徴とする請求項３に記載のダンパ装置。
【請求項５】
前記バッフルは、前記一方側の縁に形成された軸部を備え、
前記側縁には、前記軸部まで拡がる幅の前記切り欠きが形成されていることを特徴とする請求項４に記載のダンパ装置。
【請求項６】
前記バッフルは、前記開口部とは反対側の面に形成された結露水保持用リブを備え、
前記結露水保持用リブは、前記一方側の縁に沿って形成されていることを特徴とする請求項３から５の何れか一項に記載のダンパ装置。
【請求項７】
前記結露水保持用リブは、前記側縁に沿って形成されたリブと繋がっていることを特徴とする請求項６に記載のダンパ装置。
【請求項８】
前記バッフルは、前記開口部とは反対側の面に形成されたバッフル補強リブを備え、
前記結露水保持用リブは、前記バッフル補強リブより突出高さが大きいことを特徴とする請求項６または７に記載のダンパ装置。
【請求項９】
前記バッフル駆動機構は、
前記フレームと前記バッフルの間に配置される付勢部材を備え、
前記フレームには、前記付勢部材の端部を保持する保持部と、前記保持部と繋がるフレーム補強リブが形成されていることを特徴とする請求項１から８の何れか一項に記載のダンパ装置。
【発明の詳細な説明】
【技術分野】
【０００１】
本発明は、バッフル等の開閉部材を駆動して開口部を開閉するダンパ装置に関する。
【背景技術】
【０００２】
冷蔵庫内で冷気の取り入れを制御するダンパ装置として、例えば、バッフル駆動機構によってバッフルを駆動してフレームに形成された開口部を開閉するものがある。特許文献１には、この種のダンパ装置が開示されている。特許文献１のダンパ装置では、フレームは開口部を囲む筒状体を備えており、開口部を開閉するバッフルは、筒状体に全周で囲まれている。バッフルは、長方形の開閉板と、開閉板の開口部側の面に取り付けられたクッション性のあるシート材（弾性部材）を備えている。
【先行技術文献】
【特許文献】
【０００３】
【特許文献１】特開２０１５−６１３９３号公報
【発明の概要】
【発明が解決しようとする課題】
【０００４】
特許文献１のダンパ装置では、バッフルとフレーム（筒状体）との隙間が狭いため、開閉板に結露水が付着した場合、結露水が筒状体と開閉板との隙間に流れて、開閉板と筒状体の間をまたぐ状態で結露水が凍結するおそれがある。このような事態が発生すると、凍結した氷によってバッフルの動作が妨げられ、バッフルを正常に駆動できなくなるおそれがある。
【０００５】
結露水の凍結によるバッフルの動作不良対策としては、バッフルとフレームとの隙間を広くし、結露水がバッフルとフレームとをまたぐ状態を発生させないようにすることが考えられる。しかしながら、フレームの外形を大型化させずに隙間を広くするためには、バッフルおよび開口部を小型化しなければならない。従って、十分な流量を確保できないおそれがある。
【０００６】
バッフルとフレームとの隙間を広くしつつ、流量を確保するためには、フレームの薄肉化やバッフルの構造を変更することが考えられる。例えば、バッフルは、開閉板の縁にクッション性のシート材を位置決めするためのリブが形成されており、このリブが開口部より外周側に張り出している。従って、リブを省略すれば、開口部の大きさを変えずにバッフルを小型化することができる。しかしながら、リブを省略した場合、開閉板に対するシート材の位置決めが困難となり、組立作業性が低下する。また、フレームを薄肉化した場合、フレームの強度が低下するため、バッフルを付勢する付勢部材を支持する箇所に加わる付勢力によってフレームが変形するおそれがある。
【０００７】
以上の問題点に鑑みて、本発明の課題は、開口部の開口面積やフレームの強度、バッフルの組立性等に影響を及ぼすことなく、結露水の凍結によるバッフルの動作不良を抑制することにある。
【課題を解決するための手段】
【０００８】
上記課題を解決するために、本発明のダンパ装置は、筒部および前記筒部の内側に形成された開口部を備えるフレームと、前記筒部の内側に配置され、一方側の縁を中心として回転可能な状態で前記フレームに支持されるバッフルと、前記バッフルを回転させて、前記開口部を塞ぐ閉位置、および、前記開口部を開放する開位置に移動させるバッフル駆動
機構と、を有し、前記バッフルには、前記一方側の縁を除く他の縁のうちの少なくとも１箇所に切り欠きが形成されていることを特徴とする。
【０００９】
本発明は、このように、バッフルの回転中心軸線側の縁を除く縁に少なくとも１箇所切り欠きが形成されている。従って、切り欠きが形成された箇所はバッフルと筒部の内面との隙間が大きいため、結露水がバッフルと筒部（フレーム）との間にまたがる状態で凍結するおそれが低い。よって、バッフルの動作不良を抑制できる。
【００１０】
本発明において、前記バッフルは、開閉板と、前記開閉板の前記開口部側の面に取り付けられる弾性部材とを備え、前記開閉板は、前記切り欠きが形成されていない縁を備え、前記開閉板の前記開口部側の面には、前記切り欠きが形成されていない縁の少なくとも一部に、前記弾性部材を位置決めする位置決め用リブが設けられていることが望ましい。このようにすると、切り欠きと異なる位置に位置決め用リブを設けることができるので、弾性部材の位置決めを行うことができ、組立性の低下を抑制できる。例えば、結露水が集まりやすい箇所に切り欠きが配置され、且つ、結露水が集まりにくい箇所に位置決め用リブが配置されるようにバッフルを設置した場合には、組立性の低下を抑制しつつ、バッフルの動作不良を抑制できる。
【００１１】
本発明において、前記バッフルは、前記閉位置において、前記一方側の縁が前記一方側とは反対側の縁より鉛直方向の下方に位置することが望ましい。このようにバッフルを設置した場合には、バッフルに付着した結露水がバッフルの回転中心軸線側の縁やフレームの底部に集まる。従って、回転中心軸線側の縁を除く縁と筒部（フレーム）との間にまたがる状態で結露水が凍結しにくいので、バッフルの動作不良を抑制できる。
【００１２】
この場合に、前記切り欠きは、前記一方側の縁と交差する側縁において、前記一方側の縁寄りの位置に形成されていることが望ましい。例えば、前記バッフルが前記一方側の縁に形成された軸部を備えている場合には、前記側縁には、前記軸部まで拡がる幅の前記切り欠きが形成されていることが望ましい。このようにすると、一方側の縁と交差する縁（側縁）において、結露水が集まりやすい領域に切り欠きが形成される。例えば、バッフルの回転中心に設けられた軸部まで拡がる切り欠きが形成される。従って、結露水が集まりやすい領域で、バッフルと筒部（フレーム）との間にまたがる状態で結露水が凍結しにくいので、バッフルの動作不良が発生するおそれが少ない。
【００１３】
本発明において、前記バッフルは、前記開口部とは反対側の面に形成された結露水保持用リブを備え、前記結露水保持用リブは、前記一方側の縁に沿って形成されていることが望ましい。このようにすると、バッフルの回転中心軸線側の縁（すなわち、鉛直方向の下方の縁）に向けて流れる結露水が結露水保持用リブの上に保持され、バッフルからフレームの底部へ流れ落ちる結露水が減少する。従って、フレームの底部へ結露水が流れ出して凍結し、バッフルの動作の妨げになることを抑制できる。
【００１４】
この場合に、前記結露水保持用リブは、前記側縁に沿って形成されたリブと繋がっていることが望ましい。このようにすると、バッフルの回転中心軸線側の縁と側縁とが繋がる角部に連続したリブを形成できる。従って、バッフルから結露水を流出させずに保持できるため、フレームの底部へ結露水が流れ出して凍結し、バッフルの動作の妨げになることを抑制できる。
【００１５】
本発明において、前記バッフルは、前記開口部とは反対側の面に形成されたバッフル補強リブを備え、前記結露水保持用リブは、前記バッフル補強リブより突出高さが大きいことが望ましい。このようにすると、多くの結露水を保持できる。従って、フレームの底部へ結露水が流れ出して凍結し、バッフルの動作の妨げになることを抑制できる。
【００１６】
本発明において、前記バッフル駆動機構は、前記フレームと前記バッフルの間に配置される付勢部材を備え、前記フレームには、前記付勢部材の端部を保持する保持部と、前記保持部と繋がるフレーム補強リブが形成されていることが望ましい。このようにすると、付勢部材の付勢力によるフレームの変形を抑制できる。
【発明の効果】
【００１７】
本発明によれば、バッフルの回転中心軸線側の縁を除く縁に少なくとも１箇所切り欠きが形成されている。従って、切り欠きが形成された箇所はバッフルと筒部の内面との隙間が大きいため、結露水がバッフルと筒部（フレーム）との間にまたがる状態で凍結するおそれが低い。よって、バッフルの動作不良を抑制できる。
【図面の簡単な説明】
【００１８】
【図１】本発明を適用したダンパ装置の斜視図である。
【図２】カバーを省略したダンパ装置の分解斜視図である。
【図３】バッフルの斜視図および平面図である。
【図４】ダンパ装置の平面図である。
【図５】開口部の側から見たバッフルの分解斜視図である。
【発明を実施するための形態】
【００１９】
以下に、図面を参照して、本発明を適用したダンパ装置の実施形態として、冷蔵庫内に取り付けて冷気の供給量を調節するダンパ装置を説明する。なお、本発明のダンパ装置はこのような用途に限定されるものではなく、流体の取り入れ口を開閉して流量を調節する各種の装置に用いることができる。
【００２０】
（全体構成）
図１は本発明を適用したダンパ装置１の斜視図であり、図２はカバー３を省略したダンパ装置１の分解斜視図である。本明細書において、符号Ｌはバッフル４の回転中心軸線であり、回転中心軸線Ｌに沿う方向をＸ方向とし、回転中心軸線Ｌに対して交差する方向（冷気の流れる方向）をＺ方向とし、Ｘ方向およびＺ方向と交差する方向をＹ方向とする。また、Ｘ方向の一方側をＸ１とし、Ｘ方向の他方側をＸ２とし、Ｙ方向の一方側をＹ１とし、Ｙ方向の他方側をＹ２とし、Ｚ方向の一方側をＺ１とし、Ｚ方向の他方側をＺ２とする。
【００２１】
図１および図２に示すように、ダンパ装置１は全体としてＸ方向に長い直方体状であり、矩形の開口部２０が形成されたフレーム２と、開口部２０を開閉するためのバッフル４と、バッフル４を駆動するバッフル駆動機構５を備える。フレーム２の長手方向（Ｘ方向）の一端側には、バッフル駆動機構５を覆うカバー３が取り付けられている。フレーム２およびカバー３は樹脂製である。フレーム２は、Ｚ方向の両側に開口する長方形断面の筒部２１を備えており、筒部２１の長手方向の一方側（Ｘ１方向）には、筒部２１の内側とバッフル駆動機構５が配置される空間をと仕切る隔壁２２が一体に形成されている。図２に示すように、フレーム２は、隔壁２２の外周に沿ってカバー３側（Ｘ方向の一方側Ｘ１）へ立ち上がる側壁２４を備える。カバー３は、図示しないフック機構によって側壁２４に係合される。なお、フック機構でなくネジなどの別部材を介してカバー３をフレーム２に固定することもできる。
【００２２】
筒部２１は、Ｘ方向に延在する第１壁２１１および第２壁２１２と、Ｙ方向に延在する第３壁２１３および隔壁２２によって構成されている。図２に示すように、筒部２１の内側には、Ｚ方向およびＹ方向に対して斜めに傾いた枠状のシール部２３が形成され、このシール部２３の内側が開口部２０になっている。筒部２１の内側には、開口部２０を除い
て筒部２１の内側を塞ぐ封鎖部２５が形成されている。
【００２３】
筒部２１の内側において、バッフル４は、Ｘ方向と平行な回転中心軸線Ｌ回りに回転可能な状態でフレーム２に支持される。図１に示す状態で、バッフル４は、シール部２３に当接し、開口部２０を塞いだ閉位置４Ａに位置する。この状態から、バッフル駆動機構５がバッフル４を回転中心軸線Ｌ回りの一方側ＬＣＷに回転駆動してバッフル４をシール部２３から離間させると、バッフル４は、開口部２０を開放した開位置４Ｂに移動する。
【００２４】
図２に示すように、バッフル４は、開口部２０よりサイズが大きな開閉板４１と、開閉板４１の開口部２０側の面に貼り付けられた発泡ポリウレタン等からなるシート状の弾性部材４２とを有しており、弾性部材４２が開口部２０の周り（シール部２３）に当接して開口部２０を塞ぐ。冷気は、開口部２０に対してバッフル４が配置されている側（Ｚ方向の一方側Ｚ１）とは反対側（Ｚ方向の他方側Ｚ２）から開口部２０を通ってＺ方向の一方側Ｚ１に流れる。あるいは、冷気は、開口部２０に対してバッフル４が配置されている側（Ｚ方向の一方側Ｚ１）から開口部２０を通ってＺ方向の他方側Ｚ２に流れる場合もある。
【００２５】
（バッフル駆動機構）
図２に示すように、バッフル駆動機構５は、モータ５０と、モータ５０の回転をバッフル４に伝達する伝達機構５５と、バッフル４を回転中心軸線Ｌ回りの他方側ＬＣＣＷ（閉方向）に付勢する付勢部材であるねじりコイルばね８を有する。図１に示すように、ねじりコイルばね８は、バッフル４とフレーム２との間に配置されている。ねじりコイルばね８は、コイル部８１と、コイル部８１の両端から異なる方向に延びた直線状の端部８２、８３を備える。図２に示すように、一方の端部８２の先端には、略直角に屈曲した係合部８４が形成されている。同様に、他方の端部８３の先端にも、略直角に屈曲した係合部（図示省略）が形成されている。
【００２６】
筒部２１の第１壁２１１には、一方の端部８２に形成された係合部８４を保持するための保持部２６と、保持部２６と繋がるフレーム補強リブ２７が形成されている。保持部２６は、係合部８４を係合させる溝を備えたリブである。フレーム補強リブ２７は、保持部２６からＸ方向の両側に延びている。図１に示すように、ねじりコイルばね８は、一方の端部８２を第１壁２１１に沿ってＺ方向に延在させ、他方の端部８３をバッフル４の開閉板４１の背面側（弾性部材４２とは反対側）に沿って延在させるように取り付けられる。バッフル４の開閉板４１の背面側（弾性部材４２とは反対側）には、他方の端部８３の先端に設けられた係合部（図示省略）を保持するための保持部４３が形成されている。
【００２７】
伝達機構５５は、モータ５０の出力軸に形成されたウォーム５２と、ウォーム５２と噛み合うウォームホイール５６と、ウォームホイール５６に形成された小径歯車５６１と噛み合う大径歯車５７１を備えた複合歯車５７と、複合歯車５７の小径歯車（図示せず）を介して、複合歯車５７の回転が伝達される回転伝達機構１０とを有しており、回転伝達機構１０からバッフル４に回転が伝達される。モータ５０としては各種モータを用いることができる。本形態においては、モータ５０としてＤＣモータが用いられ、モータ５０は、モータ軸線周りの一方方向の回転のみを出力する。すなわち、モータ５０は、バッフル４を回転中心軸線Ｌ回りの一方側ＬＣＷ（開方向）に回転させる方向のみに回転する。
【００２８】
回転伝達機構１０は、複合歯車５７の回転が伝達される駆動車６と、バッフル４が連結される従動車７を備える。従動車７には、バッフル４を連結するための出力軸（図示省略）が設けられている。出力軸は、フレーム２の隔壁２２を貫通する貫通部を経由して筒部２１の内側に突出し、バッフル４と連結される。駆動車６の駆動歯と従動車７の従動歯とが噛み合ったとき、モータ５０の回転がバッフル４に伝達され、バッフル４が回転中心軸
線Ｌ回りの一方側ＬＣＷ（開方向）に回転する。また、駆動車６のカム面に沿って従動車７の従動歯が摺動するとき、モータ５０の回転はバッフル４に伝達されず、バッフル４は、ねじりコイルばね８の付勢力によって回転中心軸線Ｌ回りの他方側ＬＣＣＷ（閉方向）に回転する。
【００２９】
（バッフル）
図３（ａ）はバッフル４を背面側から見た斜視図であり、図３（ｂ）はバッフル４を背面側から見た平面図である。バッフル４は、全体としてＸ方向に長い長方形であり、一方の長辺に沿って延在する回転中心軸線Ｌを中心として回転可能に支持される。バッフル４は、開閉板４１の開口部２０側の面に弾性部材４２を貼り付けて構成されている。以下、本明細書において、開閉板４１の回転中心軸線Ｌが設けられた側の縁を一方側の縁４１１と呼ぶ。また、回転中心軸線Ｌとは反対側の縁（一方側とは反対側の縁）を他方側の縁４１２と呼ぶ。また、一方側の縁４１１および他方側の縁４１２と直交（交差）する縁のうち、Ｘ方向の一方側Ｘ１の縁を一方側の側縁４１３と呼び、Ｘ方向の他方側Ｘ２の縁を他方側の側縁４１４と呼ぶ。
【００３０】
図１、図２に示すように、バッフル４の回転中心軸線Ｌは筒部２１のＺ方向の他方側Ｚ２の端部に近い位置に配置され、バッフル４が開閉する開口部２０は、回転中心軸線ＬよりＺ方向の一方側Ｚ１に位置する。従って、バッフル４が閉位置４Ａに位置するとき、バッフル４は、一方側の縁４１１が他方側の縁４１２よりもＺ方向の他方側Ｚ２に位置する姿勢となる。また、バッフル４が開位置４Ｂに位置するとき、バッフル４は、一方側の縁４１１をＺ方向の一方側Ｚ１に向けてＺ方向に立ち上がる姿勢となる。
【００３１】
本形態のダンパ装置１は、冷蔵庫内に取り付けられるとき、Ｚ方向を鉛直方向とし、Ｚ方向の一方側Ｚ１を鉛直方向の上方とし、Ｚ方向の他方側を鉛直方向の下方とする設置状態で使用されることがある。このような設置状態では、バッフル４は、図１に示す閉位置４Ａに位置するとき、一方側の縁４１１が他方側の縁４１２よりも鉛直方向の下方に位置する傾斜姿勢となる。また、開位置４Ｂに位置するとき、バッフル４は、一方側の縁４１１を鉛直方向の上方に向けて鉛直方向に立ち上がる姿勢となる。従って、開閉板４１に結露水が付着したとき、結露水は、開閉板４１の鉛直方向の下方の縁である一方側の縁４１１に向けて流れ、一方側の縁４１１に結露水が集まる。
【００３２】
図３（ａ）に示すように、開閉板４１の一方側の縁４１１（回転中心軸線Ｌ側の縁）には、Ｘ方向に離れた２箇所に軸部４５、４６が形成されている。一方の軸部４５は、開閉板４１の一方側の縁４１１と、一方側の側縁４１３とが繋がる角部に形成されている。また、他方の軸部４６は、開閉板４１の一方側の縁４１１と、他方側の側縁４１４とが繋がる角部に形成されている。図３（ａ）に示すように、軸部４５のＸ方向の一方側の先端には嵌合凹部４５１が形成されている。上述したように、フレーム２の筒部２１の内側には、回転伝達機構１０の従動車７に設けられた出力軸（図示省略）が突出する。回転伝達機構１０の出力軸の先端は、嵌合凹部４５１を介してバッフル４の軸部４５と連結される。これにより、バッフル４に従動車７の回転が伝達される。一方、軸部４６の先端には円柱状の凸部４６１が形成されている。凸部４６１は、フレーム２の第３壁２１３に形成された保持孔２１４（図２参照）に回転可能に保持される。
【００３３】
図３（ｂ）に示すように、開閉板４１の一方側の側縁４１３および他方側の側縁４１４には、それぞれ、一方側の縁４１１寄りの部分を所定の寸法だけ幅方向（Ｘ方向）の内側に切り欠いた切り欠き４９１、４９２が形成されている。すなわち、切り欠き４９１は、一方側の側縁４１３と対向する筒部２１の内面（隔壁２２の内面）とバッフル４との隙間を切り欠き４９１がない部分よりも拡げた形状である。また、切り欠き４９２は、他方側の側縁４１４と対向する筒部２１の内面（第３壁２１３の内面）とバッフル４との隙間を
切り欠き４９２がない部分よりも拡げた形状である。切り欠き４９１、４９２は、開閉板４１の回転中心軸線Ｌと直交する方向の幅の半分程度の範囲に形成されており、一方側の縁４１１寄りの位置に形成されている。本形態では、バッフル４の一方側の縁４１１の両端に軸部４５、４６が形成されており、切り欠き４９１は一方側の側縁４１３の略中央から軸部４５まで拡がる幅である。また、切り欠き４９１は他方側の側縁４１４の略中央から軸部４６まで拡がる幅である。
【００３４】
図４はダンパ装置１の平面図であり、バッフル４が開口部２０を塞ぐ閉位置４Ａに位置する状態（図１の状態）をＺ方向の一方側Ｚ１から見た平面図である。この図に示すように、バッフル４は、切り欠き４９１、４９２が形成された位置で筒部２１の内面との隙間が拡大されている。すなわち、軸部４５、４６に近い側における筒部２１の内面との隙間Ｓ１が、軸部４５、４６から離れた側における筒部２１の内面との隙間Ｓ２よりも大きくなるように、開閉板４１に切り欠き４９１、４９２が形成されている。軸部４５、４６が設けられた側の縁４１１は、開閉板４１に結露水が付着したとき、結露水が流れ落ちる側の縁である。つまり、バッフル４は、結露水が流れ落ちる側の領域で、開閉板４１と筒部２１の内面との隙間が大きい形状となっている。
【００３５】
図３（ａ）に示すように、開閉板４１の背面側（開口部２０とは反対側）には、複数のリブが格子状に形成されている。開閉板４１には、一方側の縁４１１に沿って結露水保持用リブ４７１が形成されている。結露水保持用リブ４７１の両端は軸部４５および軸部４６と繋がっている。また、開閉板４１の長手方向（Ｘ方向）の中央には、結露水保持用リブ４７１と同じ突出高さで回転中心軸線Ｌと直交する方向に延在する中央補強リブ４７２が形成されている。中央補強リブ４７２の略中央には、上述したねじりコイルばね８の端部８３を保持するための保持部４３が形成されている。ねじりコイルばね８の端部８３は、中央補強リブ４７２に沿って配置され、その先端に設けられた係合部（図示省略）は保持部４３に保持される。
【００３６】
開閉板４１には、結露水保持用リブ４７１および中央補強リブ４７２より突出高さが低いバッフル補強リブ４７３Ａ、４７３Ｂ、４７４Ａ、４７４Ｂが形成されている。バッフル補強リブ４７３Ａ、４７３Ｂは中央補強リブ４７２と平行なリブであり、中央補強リブ４７２の両側に１本ずつ形成されている。バッフル補強リブ４７３Ａは、開閉板４１の一方側の側縁４１３および他方側の側縁４１４に沿って形成されている。本形態では、バッフル補強リブ４７３Ａは、切り欠き４９１、４９２に沿って途中で屈曲した形状となっている。また、バッフル補強リブ４７３Ｂは、中央補強リブ４７２とバッフル補強リブ４７３Ａの間にそれぞれ１本ずつ形成されている。一方、バッフル補強リブ４７４Ａ、４７４Ｂは結露水保持用リブ４７１と平行なリブであり、バッフル補強リブ４７３Ａ、４７４Ｂおよび中央補強リブ４７２と直交する。バッフル補強リブ４７４Ａは、開閉板４１の他方側の縁４１２に沿って形成されており、バッフル補強リブ４７４Ｂは、バッフル補強リブ４７４Ａと結露水保持用リブ４７１との間に形成されている。
【００３７】
なお、バッフル補強リブ４７３Ｂ、４７４Ｂの延在方向は上記と異なっていても良く、途中で屈曲していても良い。例えば、バッフル補強リブ４７３Ｂは、回転中心軸線Ｌと直交する方向に対して傾いていてもよく、開閉板４１の対角方向にＸ字状に設けられていてもよい。また、バッフル補強リブ４７４Ｂは回転中心軸線Ｌに対して傾いていてもよい。
【００３８】
開閉板４１の一方側の側縁４１３および他方側の側縁４１４に沿って形成されたバッフル補強リブ４７３Ａは、軸部４５、４６の外周面に接続されている。これら２本のバッフル補強リブ４７３Ａと軸部４５、４６との接続部には、軸部４５に向かうに従って突出高さが増大する傾斜部４７５Ａ、４７５Ｂが形成されている。また、バッフル補強リブ４７３Ｂのうちの１本は軸部４５の外周面に接続されており、このバッフル補強リブ４７３Ｂ
と軸部４５との接続部には、軸部４５に向かうに従って突出高さが増大する傾斜部４７５Ｃが形成されている。更に、開閉板４１の他方側の側縁４１４と、他方側の側縁４１４に近いバッフル補強リブ４７３Ｂとの間には、結露水保持用リブ４７１に接続される傾斜部４７５Ｄが形成されている。傾斜部４７５Ｄは、回転中心軸線Ｌと直交するリブであり、結露水保持用リブ４７１に向かうに従って突出高さが増大する。本形態では、傾斜部４７５Ａ〜４７５Ｄは、傾斜面の高さおよび傾きが一致する形状である。
【００３９】
このように、開閉板４１の一方側の縁４１１に沿う領域の両端には、結露水保持用リブ４７１と傾斜部４７５Ａ、４７５Ｂとが軸部４５、４６を介して屈曲した壁状に繋がるリブ構造が形成されている。そして、開閉板４１の一方側の縁４１１に沿う領域には、結露水保持用リブ４７１、傾斜部４７５Ａ、４７５Ｂ、４７５Ｃ、４７５Ｄ、軸部４５、中央補強リブ４７２によって３方向を囲まれる凹部４８が複数形成されている。これらの凹部４８は、バッフル補強リブ４７３Ａ、４７３Ｂ、４７４Ａ、４７４Ｂより突出高さの高いリブによって３方向を囲まれているため、開閉板４１に付着した結露水が重力等によって回転中心軸線Ｌ側に流れ落ちた場合に、この結露水が開閉板４１の外部に溢れにくい形状となっている。
【００４０】
図５はバッフル４を弾性部材４２の側から見た分解斜視図である。開閉板４１の開口部２０側の面には、弾性部材４２を取り付ける領域を囲む位置決め用リブ４２１、４２２、４２３、４２４が形成されている。位置決め用リブ４２１は、開閉板４１の一方側の縁４１１に沿って形成されている。また、位置決め用リブ４２２は、開閉板４１の他方側の縁４１２に沿って形成されている。そして、位置決め用リブ４２３は、開閉板４１の一方側の側縁４１３に沿って形成され、位置決め用リブ４２４は、開閉板４１の他方側の側縁４１４に沿って形成されている。上述したように、開閉板４１の一方側の側縁４１３および他方側の側縁４１４には切り欠き４９１、４９２が形成されている。位置決め用リブ４２３、４２４は、切り欠き４９１、４９２が形成されている範囲を除く領域に形成されている。
【００４１】
このように、開閉板４１には、切り欠き４９１、４９２が形成されていない縁４１１、４１２があり、これらの縁４１１、４１２にはその全領域に位置決め用リブ４２１、４２２が形成されている。従って、位置決め用リブ４２１、４２２によって回転中心軸線Ｌと直交する方向で弾性部材４２を位置決めすることができる。また、開閉板４１において、切り欠き４９１、４９２は、一方側の側縁４１３および他方側の側縁４１４の全領域でなく、その一部に形成されている。そして、一方側の側縁４１３および他方側の側縁４１４において切り欠き４９１、４９２が形成されていない領域には、位置決め用リブ４２３が形成されている。従って、位置決め用リブ４２３、４２４によって回転中心軸線Ｌに沿う方向で弾性部材４２を位置決めすることができる。また、本形態では、回転中心軸線Ｌから遠い一方側の縁４１１と一方側の側縁４１３とが交差する角部４９Ａでは、位置決め用リブ４２２、４２３が直交する形状に接続されている。同様に、一方側の縁４１１と他方側の側縁４１４とが交差する角部４９Ｂでは、位置決め用リブ４２２、４２４が直交する形状に接続されている。従って、これら２箇所の角部４９Ａ、４９Ｂにおいて、弾性部材４２を開閉板４１に位置決めすることができる。
【００４２】
（本形態の主な効果）
以上説明したように、本形態のダンパ装置１は、バッフル４の回転中心軸線Ｌ側の縁４１１を除く縁に少なくとも１箇所、筒部２１との隙間を拡げる切り欠きが形成されている。例えば、側縁４１３、４１４に切り欠き４９１、４９２が形成されている。従って、切り欠き４９１、４９２が形成された箇所は筒部２１の内面との隙間が大きいため、結露水がバッフル４と筒部２１との間にまたがる状態で保持されにくい。よって、結露水が凍結することによるバッフル４の動作不良を抑制できる。また、一方側の縁４１１を除く縁（
他方側の縁４１２および側縁４１３、４１４）は、バッフル４の開閉時に大きく動く部位であり、また、一方側の縁４１１は、バッフルを回転可能に支持する軸部４５、４６などが設けられているため、切り欠きを設けなくても、一方側の縁４１１と筒部２１の内面との隙間は他の部分より大きい。従って、一方側の縁４１１を除く縁に切り欠き４９１、４９２を設けて凍結を防止することにより、バッフル４の動作不良を効果的に抑制できる。
【００４３】
本形態では、切り欠き４９１、４９２が形成されていない縁４１１、４１２の全範囲に、弾性部材４２を位置決めする位置決め用リブ４２１、４２２が形成されている。更に、切り欠き４９１、４９２が形成された側縁４１３、４１４においても、切り欠き４９１、４９２がない領域に位置決め用リブ４２３、４２４が形成されている。従って、切り欠き４９１、４９２を設けて凍結による動作不良を抑制した構造でありながら、弾性部材４２の位置決めを行うことができ、バッフル４の組立性が良好である。なお、本形態の位置決め用リブ４２１、４２２、４２３、４２４の一部を省略してもよい。但し、弾性部材４２の位置決めを行うため、切り欠き４９１、４９２が形成されていない縁の少なくとも一部に、位置決め用リブが設けられていることが望ましい。また、本形態のように、開閉板４１の角部４９Ａ、４９Ｂにおいて位置決め用リブが接続されることが望ましい。
【００４４】
本形態では、バッフル４が閉位置４Ａにあるとき、開閉板４１の一方側の縁４１１が一方側とは反対側の縁４１２より鉛直方向の下方に位置する状態に設置される。そして、切り欠き４９１、４９２は、一方側の縁４１１に近い領域に形成されている。従って、バッフル４に付着した結露水が集まる領域でバッフル４と筒部２１の内面との隙間が拡大されているので、バッフル４と筒部２１の内面との間にまたがるような結露水の凍結が発生しにくい。従って、バッフル４の動作不良を抑制できる。特に、本形態では、バッフル４の一方側の縁４１１の両端に形成された軸部４５、４６まで切り欠き４９１、４９２が拡がっており、結露水が最も集まりやすい軸部４５、４６の周囲まで切り欠き４９１、４９２が拡がっている。従って、バッフル４と筒部２１の内面との間にまたがるような結露水の凍結を効果的に抑制できる。
【００４５】
本形態では、開閉板４１の背面側において、一方側の縁４１１に沿って結露水保持用リブ４７１が形成されている。また、結露水保持用リブ４７１は、開閉板４１の側縁４１３、４１４に沿って形成されたリブ（傾斜部４７５）と繋がっている。従って、バッフル４の回転中心軸線Ｌ側の縁（すなわち、鉛直方向の下方の縁）に流れる結露水を結露水保持用リブ４７１および傾斜部４７５に囲まれる凹部４８によって保持できる。よって、フレーム２の底部に結露水が流れ出すことを抑制できる。また、結露水保持用リブ４７１および傾斜部４７５は、バッフル補強リブ４７３、４７４より突出高さが高い。従って、多くの結露水を保持でき、フレーム２の底部に結露水が流れ出すことを抑制でき、フレームとバッフル間の氷の形成を回避できバッフルが円滑に動作することができる。
【００４６】
本形態では、筒部２１の第１壁２１１とバッフル４との間にねじりコイルばね８が配置され、第１壁２１１には、ねじりコイルばね８の一方の端部８２を保持する保持部２６が設けられ、更に、保持部２６と繋がるフレーム補強リブ２７が形成されている。従って、ねじりコイルばね８から加わる力による筒部２１の変形を抑制できる。なお、本形態では付勢部材としてねじりコイルばね８を用いたが、板ばねなどの他の付勢部材を用いることもできる。また、本形態では、第１壁２１１の側からバッフル４を閉じ方向（回転中心軸線Ｌ回りの他方側ＬＣＣＷ）へ付勢しているが、開口部２０側からバッフル４を閉じ方向へ引っ張るように付勢部材を配置することもできる。例えば、開口部２０内に圧縮バネなどの付勢部材を配置してバッフル４を開口部２０側へ付勢することも可能である。
【００４７】
（変形例）
上記形態では、開閉板４１に２箇所の切り欠き４９１、４９２を設けているが、切り欠
きは１箇所あるいは３箇所以上としてもよい。また、その位置や幅は適宜変更可能である。但し、上記形態のようにダンパ装置１が設置された状態で鉛直方向の下方に位置する領域に切り欠きを設けることが望ましく、例えば、回転中心軸線Ｌに近い領域に切り欠きを設けることが望ましい。また、ダンパ装置１を他の設置状態とする場合は、結露水が移動する領域、例えば、鉛直方向の下方に位置する側の縁あるいは側縁に切り欠きを設けることが望ましい。
【符号の説明】
【００４８】
１…ダンパ装置、２…フレーム、３…カバー、４…バッフル、４Ａ…閉位置、４Ｂ…開位置、５…バッフル駆動機構、６…駆動車、７…従動車、８…ねじりコイルばね、１０…回転伝達機構、２０…開口部、２１…筒部、２２…隔壁、２３…シール部、２４…側壁、２５…封鎖部、２６…保持部、２７…フレーム補強リブ、４１…開閉板、４２…弾性部材、４３…保持部、４５、４６…軸部、４７…傾斜部、４８…凹部、４９Ａ、４９Ｂ…角部、５０…モータ、５２…ウォーム、５５…伝達機構、５６…ウォームホイール、５７…複合歯車、８１…コイル部、８２、８３…端部、８４…係合部、２１１…第１壁、２１２…第２壁、２１３…第３壁、２１４…保持孔、４１１…一方側の縁、４１２…他方側の縁、４１３…一方側の側縁、４１４…他方側の側縁、４２１、４２２、４２３、４２４…位置決め用リブ、４５１…嵌合凹部、４６１…凸部、４７１…結露水保持用リブ、４７２…中央補強リブ、４７３Ａ、４７３Ｂ、４７４Ａ、４７４Ｂ…バッフル補強リブ、４７５Ａ、４７５Ｂ、４７５Ｃ、４７５Ｄ…傾斜部、５６１…小径歯車、５７１…大径歯車、Ｌ…回転中心軸線、ＬＣＣＷ…回転中心軸線回りの他方側、ＬＣＷ…回転中心軸線回りの一方側、Ｓ１、Ｓ２…隙間
【図１】
2018200131.tif 000003
【図２】
2018200131.tif 000004
【図３】
2018200131.tif 000005
【図４】
2018200131.tif 000006
【図５】
2018200131.tif 000007